(57)【要約】【課題】ベルト本体１を閉ループ状に連結しやすく、かつ、連結解除しにくいスーツケースベルトの提供を目的とする。【解決手段】帯状のベルト本体１の両端部に配置され、ストッパ２をストッパ受け３に係止させて相互に連結される一対の連結具４を有し、  前記ストッパ２とストッパ受け３の少なくともいずれか一方は弾性を有する材料により形成されるとともに、  前記ストッパ受け３は、ストッパ２に形成された係合突起５に弾発係止してストッパ２を抜け止めする抜け止め部６を備えてベルト本体１の表面に直交する方向からストッパ２を挿抜可能に形成されて構成される。【選択図】図１
2014155585.tif 000002
【特許請求の範囲】
【請求項１】
帯状のベルト本体の両端部に配置され、ストッパをストッパ受けに係止させて相互に連結される一対の連結具を有し、
前記ストッパとストッパ受けの少なくともいずれか一方は弾性を有する材料により形成されるとともに、
前記ストッパ受けは、ストッパに形成された係合突起に弾発係止してストッパを抜け止めする抜け止め部を備えてベルト本体の表面に直交する方向からストッパを挿抜可能に形成されるスーツケースベルト。
【請求項２】
前記ストッパは、係合突起をベルト本体の長手方向に沿って所定間隔で配置して形成され、抜け止め部に係止する係合突起を変更してベルト長を調節可能に形成される請求項１記載のスーツケースベルト。
【請求項３】
前記連結具の一方が環状のリングからなるとともに、
前記連結具の他方は、舌片状からなり、前記リングに挿通されて折り返され、かつ、前記リングを跨ぐ位置に前記ストッパとストッパ受けを備える請求項１または２記載のスーツケースベルト。
【請求項４】
前記連結具の他方には、連結状態において折り返し部と重合する位置にネーム表示部が形成される請求項３記載のスーツケースベルト。
【請求項５】
前記ストッパは、球状部間を細幅部により連結してボールチェーン近似に形成され、
かつ、前記ストッパ受けは、球状部収容部間を前記球状部よりも幅狭に形成された細幅部収容部により連通させて形成される請求項１ないし４のいずれかに記載のスーツケースベルト。
【請求項６】
前記ストッパには、自由端に摘み部が形成される請求項５記載のスーツケースベルト。
【請求項７】
帯状のベルト本体の両端部に配置されて着脱自在に連結される一対の連結具を有し、
前記連結具の一方が環状のリングからなるとともに、
前記連結具の他方は、舌片状からなり、前記リングに挿通されて折り返され、かつ、前記リングを跨ぐ位置に着脱可能な一対の面ファスナを備えるスーツケースベルト。
【発明の詳細な説明】
【技術分野】
【０００１】
本発明はスーツケースベルトに関するものである。
【背景技術】
【０００２】
スーツケース周りに巻き付けられ、運搬時に誤ってスーツケースに衝撃を与えてしまったときにその衝撃や反動によりスーツケースが不用意に開いてしまうことを防止できるスーツケースベルトとしては、従来、例えば特許文献１に記載されたものがある。この従来例において、スーツケースベルトは、帯状のベルト本体の一端に一対の長方形緊締環を取り付けて形成され、スーツケース周りに這わせたベルト本体の他端を一対の長方形緊締環の双方に通した後、折り返して長方形緊締環の一方のみに再度通すことにより、ベルト本体の一端と他端側とが連結されてベルト本体がスーツケース周りに巻回される閉ループ状になる。
【先行技術文献】
【特許文献】
【０００３】
【特許文献１】特開２００５-３３４５８８号公報
【発明の開示】
【発明が解決しようとする課題】
【０００４】
しかしながら、上述のようにベルト本体の他端を一対の長方形緊締環の双方に通した後、折り返してさらにその一方にも通すといった連結構造は複雑で、連結がしずらいという問題がある。
【０００５】
これに対し、例えばベルト本体の両端にフックとフック受けを設けてスーツケースベルトを構成すれば、フックをフック受けに係止させるだけで足りることから、連結がしやすくなる。しかしながらこの場合、連結解除もしやすくなるために、上述したように運搬時に誤って鞄に衝撃を与えてしまったときに連結が解除されてしまうおそれがあり、このようなときにスーツケースが開いてしまうのを有効に防止できなくなる。
【０００６】
本発明は以上の欠点を解消すべくなされたものであって、ベルト本体を閉ループ状に連結しやすく、かつ、連結解除しにくいスーツケースベルトの提供を目的とする。
【課題を解決するための手段】
【０００７】
本発明によれば、上記目的は、
帯状のベルト本体１の両端部に配置され、ストッパ２をストッパ受け３に係止させて相互に連結される一対の連結具４、４を有し、
前記ストッパ２とストッパ受け３の少なくともいずれか一方は弾性を有する材料により形成されるとともに、
前記ストッパ受け３は、ストッパ２に形成された係合突起５に弾発係止してストッパ２を抜け止めする抜け止め部６を備えてベルト本体１の表面に直交する方向からストッパ２を挿抜可能に形成されるスーツケースベルトを提供することにより達成される。
【０００８】
本発明によれば、一対の連結具４、４の連結はストッパ２をストッパ受け３に係止させてなされ、上記ストッパ受け３は、ベルト本体１の表面に直交する方向からストッパ２を挿抜可能に形成される。また、ストッパ２とストッパ受け３の少なくともいずれか一方は弾性を有する材料により形成されるとともに、ストッパ２に形成された係合突起５をストッパ受け３に形成された抜け止め部６に弾発係止させてストッパ２がストッパ受け３に抜け止めされる。
【０００９】
したがってストッパ２のストッパ受け３への係脱は、ストッパ２をベルト本体１の表裏方向にストッパ受け３へと押し込み、あるいは引き抜くだけでよく、連結構造が単純な上に、スーツケースに巻回した状態のスーツケースベルトにはベルト本体１の表裏方向にあまり大きな力が働くことがないことから、使用時に妄りに連結解除してしまうこともない。すなわち、誤って衝撃が与えられてスーツケースが開いてしまうようなときには、その衝撃力等はベルト本体１長手方向の引っ張り方向に強く作用するに止まり、ストッパ２のストッパ受け３からの抜去方向とは力の作用方向が直交し、さらに、ストッパ２は係合突起５が抜け止め部６に弾発係止してストッパ受け３に抜け止めされていることから、妄りに係止解除してしまうことはない。
【００１０】
加えて、上述のようにベルト本体１表面に直交する方向からストッパ受け３に挿抜可能なストッパ２は、ストッパ受け３に対してベルト本体１の長手方向には係止状態となることから、上述の引っ張り力に抗してスーツケースを閉塞状態に良好に維持することができる。
【００１１】
また、以上のように連結構造が単純な本願発明においては、上述した係合突起５をベルト本体１の長手方向に沿って所定間隔でストッパ２に配置するだけで、抜け止め部６に係止する係合突起５を変更してベルト長を調節することが可能になる。このように連結具４にベルト長の調整機能を持たせると使い勝手が向上する。
【００１２】
一対の連結具４は、その一方にストッパ２を、他方にストッパ受け３を配置して構成することが可能であるが、これ以外にも、一方を環状のリングで構成し、他方をこのリングに挿通して折り返し可能な舌片状に形成した上で、上記リングを跨ぐ位置にストッパ２とストッパ受け３を設けて構成することもできる。このように舌片状にしてこれを折り返した上でストッパ２とストッパ受け３を係止させると、スーツケースに誤って衝撃が与えられたときには、折り返しによって表裏に２重に重なる舌片状の部分がベルト本体１の表裏方向に一体となって動くことから、ストッパ２のストッパ受け３からの不用意な係止解除がより生じにくくなる。
【００１３】
また、この場合において、上述した他方の連結具４に、連結状態において折り返し部１１と重合する位置にネーム表示部１３を形成すれば、使用状態において使用者の氏名等が容易に見られてしまうことがなく、不必要なプライバシーの露出を防止できる。
【００１４】
さらに、上述したストッパ２とストッパ受け３とは、具体的には例えばピンとピン穴などとして構成することが可能であり、この場合、ピンの先端を膨らませるなどして係合突起５を、ピン穴の開口端を窄ませるなどして抜け止め部６を形成することが可能である。また、上述のようにベルト長の調節機能を持たせる場合には、ベルト本体１の長手方向に沿って所定間隔でピンを立設してストッパ２を構成すれば足りる。この場合において、ストッパ２について、球状部７同士を細幅部８により順次連結してボールチェーン近似に形成するとともに、ストッパ受け３については、球状部収容部９同士を上記球状部７よりも幅狭に形成された細幅部収容部１０により連通させて形成すれば、簡易な構造で係止状態をより安定させることができる。また、上述した引っ張り力に対しては球状部７の球状部収容部９への係止により耐えることができる。
【００１５】
さらに、上述のようにストッパ２をボールチェーン近似に形成した場合において、その自由端に摘み部１３を形成すれば、引っ張り操作がしやすくなる上に、ストッパ２を摘む指が邪魔になってストッパ受け３への押し込み操作がしにくくなることがない。また、摘み部１３によってストッパ２のストッパ受け３からの弾発的な抜去操作もしやすくなる。
【００１６】
なお、以上のようにストッパ２をボールチェーン近似に形成した場合において上述した係合突起５は、後述する実施の形態に示すように、球状部７あるいは細幅部８のいずれとしても構成することが可能である。
【００１７】
また、スーツケースベルトは、
帯状のベルト本体１の両端部に配置されて着脱自在に連結される一対の連結具４、４を有し、
前記連結具４の一方が環状のリングからなるとともに、
前記連結具４の他方は、舌片状からなり、前記リングに挿通されて折り返され、かつ、前記リングを跨ぐ位置に着脱可能な一対の面ファスナ１４、１４を備えて構成することもできる。
【００１８】
この発明においては、上述したストッパ２やストッパ受け３に代わるものとして、着脱可能な一対の面ファスナ１４、１４が利用される。連結具同士４、４の連結、連結解除は、面ファスナ同士１４、１４を貼り合わせ、あるいは引き剥がすだけで足りるために極めて簡単である。
【００１９】
また、連結具４の一方は環状のリングとして構成され、他方の連結具４は、舌片状をなして上記リングに挿通されて折り返されるとともに、上記リングを跨ぐ位置に上述の一対の面ファスナ１４、１４を備えることにより、スーツケースに衝撃が与えられた際には、ベルト本体１とリングとの間に生じる摩擦によって折り返し部分が一体となって動き、面ファスナ同士１４、１４の連結が外れにくくなる。
【発明の効果】
【００２０】
以上の説明から明らかなように、本発明によれば、ベルト本体を閉ループ状に連結しやすく、かつ、連結解除しにくいスーツケースベルトを提供することができ、旅行をより快適にすることができる。
【図面の簡単な説明】
【００２１】
【図１】本発明に係るスーツケースベルトを示す図で、（ａ）は全体斜視図、（ｂ）は要部拡大図である。
【図２】連結具の連結状態を示す要部拡大図で、（ａ）は正面図、（ｂ）は側面図、（ｃ）は（ｂ）の２Ｃ-２Ｃ線断面図、（ｄ）は（ｂ）の２Ｄ-２Ｄ線断面図である。
【図３】本発明に係るスーツケースベルトの第２の実施の形態を示す図で、（ａ）は全体斜視図、（ｂ）は要部拡大正面図、（ｃ）は要部拡大側面図である。
【図４】連結具の連結状態を示す要部拡大図で、（ａ）は正面図、（ｂ）は（ａ）の４Ｂ-４Ｂ線断面図、（ｃ）は（ａ）の４Ｃ-４Ｃ線断面図である。
【図５】本発明に係るスーツケースベルトの第３の実施の形態を示す全体斜視図である。
【図６】連結具の連結状態を示す要部拡大図で、（ａ）は正面図、（ｂ）は（ａ）の６Ｂ-６Ｂ線断面図である。
【図７】本発明に係るスーツケースベルトの第４の実施の形態を示すで、（ａ）は全体斜視図、（ｂ）は要部拡大正面図である。
【図８】連結具の連結状態を示す要部側面図である。
【図９】本発明に係るスーツケースベルトの第５の実施の形態を示す全体斜視図である。
【図１０】連結具の連結状態を示す要部側面図である。
【発明を実施するための形態】
【００２２】
図１に本発明の実施の形態を示す。スーツケースベルトＡは、図１（ａ）に示すように、帯状のベルト本体１と、このベルト本体１の両端部に装着される一対の連結具４、４とを有する。上記ベルト本体１は、例えば荷物の詰め込みによってはち切れるように開いてしまうようなときのスーツケースＢの開放力によっては容易に破断しない程度の強度にされ、また、長さ調整自在に形成される。具体的にはベルト本体１は、織物等からなる一本の帯状体２１に日の字形状のコキ２２を連結して形成されて該コキ２２により長さ調整自在にされる。
【００２３】
上述した一対の連結具４、４は、この実施の形態においては、上述のようにコキ２２に連結された帯状体２１の折り返し端部を挿通するリングとして構成されてベルト本体１の一端に位置するメス側連結具４Ａと、帯状体２１のコキ２２を通過した自由端に装着されてベルト本体１の他端に位置するオス側連結具４Ｂとからなる。上記メス側連結具４Ａは矩形枠状をなし、その開口部２３はベルト本体１よりもやや幅広な横幅で、かつ、その縦寸法は、上述した帯状体２１に加えてオス側連結具４Ｂの後述する折り返し部１１や柔軟部２４、ストッパ２をも重ねて挿通可能な大きさに形成される。
【００２４】
また、上記オス側連結具４Ｂは、ベルト本体１と同じ程度の幅寸法からなる略舌片状に形成され、適宜の弾性を備えた合成樹脂材、例えばナイロンを射出成形して形成される。このオス側連結具４Ｂは、図１（ａ）および（ｂ）に示すように、ベルト本体１への取付部２５を基端に備えるとともに、長手方向中間部に上述の柔軟部２４を備え、かつ、この柔軟部２４を跨ぐ位置にストッパ２とストッパ受け３を有する。上記取付部２５は、ベルト本体１に重ねたときにあまり嵩張らない程度の薄い厚さに形成され、その幅方向に直線状に配置されたステッチ穴２５ａを利用してベルト本体１に縫着される。なお、図１（ｂ）において２６は縫着に用いた糸である。以上の取付部２５のベルト本体１に対する取り付けは、上述した縫着以外にも、例えば上述したメス側連結具４Ａのようにリング部分を設けたり、あるいは接着固定しても足り、この場合、上述したステッチ穴２５ａを省いて当該領域に開口部２３を設けたり、あるいは接着剤を塗布したりすれば足りる。
【００２５】
上記柔軟部２４は、略舌片状のオス側連結具４Ｂを折り返すように変形しやすくしたもので、具体的にはオス側連結具４Ｂの長手方向中間部に適宜深さの適数の溝２４ａを掘って構成される。なお、柔軟部２４は、例えばその材料を軟質にして構成することも可能であり、この場合、柔軟部２４とそれ以外の部分とで硬度の異なる２種類の合成樹脂材を使い分け、オス側連結具４Ｂを２色成形すれば足りる。
【００２６】
以上の取付部２５と柔軟部２４とはベース部２８を介して連結され、また、柔軟部２４の先端側には、先端が半円状をなす折り返し部１１が形成される。この折り返し部１１および上述の柔軟部２４は、上述したように帯状体２１を内部に挿通させたメス側連結具４Ａの開口部２３内に挿入可能な程度の厚さに形成される。
【００２７】
また、上記ストッパ２は上述の折り返し部１１の先端に、一方、ストッパ受け３は上述のベース部２８に形成される。ストッパ２は、所定ピッチで配置された球状部７同士を該球状部７よりも幅狭の紐状からなる細幅部８（係合突起５）により連結して形成されたいわゆるボールチェーン状に形成され、その一端が上述した折り返し部１１の先端に連結される。上記球状部７は、上述したように帯状体２１を内部に挿通させたメス側連結具４Ａに挿入可能な程度の直径寸法に形成される。
【００２８】
さらに、上記ストッパ２の自由端には摘み部１３が形成される。この摘み部１３は、ストッパ２を操作しやすくするための取っ手であり、指先で摘みやすいように球状部よりも大きいサイズに形成される。具体的には、表裏に突条からなる滑り止め３７が形成されたコイン状をなし、最も自由端寄りに位置する球状部７のさらに自由端側に細幅部８を介して連結される。
【００２９】
一方、ストッパ受け３は、上述した球状部７を収容する球状部収容部９と、細幅部８を収容する細幅部収容部１０とを備える。このような球状部７等の収容空間を確保するために、ベース部２８にはベルト本体１の表面側に膨隆する膨隆部２９が形成され、上記ストッパ受け３は、膨隆部２９の上面を凹設させたり、膨隆部２９を表裏に貫通させたりして形成される。具体的にはこの実施の形態においては、図２に示すように球状部収容部９が膨隆部２９を貫通する透孔状に、一方、細幅部収容部１０が凹溝状に形成される。
【００３０】
さらに、上記細幅部収容部１０の両側壁には、図１（ｂ）および図２（ｃ）に示すように、内部に収容した細幅部８の側縁部に表面側から係止可能な抜け止め部６が内方に向かって突設される。この抜け止め部６は、細幅部収容部１０の開放端寄りの位置に配置され、その突出高さは、ストッパ２を手で摘んでストッパ受け３に押し込むことにより、細幅部８および抜け止め部６の弾性変形によって細幅部８が細幅部収容部１０内に収容できる程度にされる。
【００３１】
以上のストッパ受け３は、ベース部２８の基端寄りの領域に配置され、このストッパ受け３の先端側、すなわちベース部２８の先端寄りの領域には、ネーム表示部１３が形成される。この実施の形態においてネーム表示部１３はネームシールからなり、図示省略したが、紙等の裏面に粘着層を設けて構成されて表面に氏名等を記載可能な枠が印刷される。また、上記ネームシール１２は、図２（ａ）および（ｂ）に示すように、オス側連結具４Ｂを柔軟部２４で折り返し変形させたときに、上述した折り返し部１１が重合する位置に配置される。なお、ネーム表示部１３は、例えばベース部２８にネームカードを表面側から目視可能に収容する収容部分を設けて構成することも可能である。
【００３２】
したがってスーツケースベルトＡは、ベルト本体１の長さを調節して図外のスーツケースＢ周りの長さに全長をある程度調整した上で、ベルト本体１をスーツケースＢ周りに這わせ、連結具４、４同士を連結してスーツケースＢに装着される。連結具４、４同士の連結は、ストッパ２を先頭にして柔軟部２４までオス側連結具４Ｂをメス側連結具４Ａの開口部２３に挿入した後、図２（ａ）および（ｂ）に示すように、柔軟部２４においてオス側連結具４Ｂを折り曲げ、ストッパ２をストッパ受け３にベルト本体１の表面側から裏面側に向かって圧入させてなされる。
【００３３】
上述したように細幅部収容部１０は抜け止め部６によって細幅部８の幅寸法よりもやや狭くされており、細幅部８が圧入されると、この細幅部８が幅寸法を小さくする方向に、また、抜け止め部６が一対の抜け止め部６、６間の離隔間隔を大きくする方向に弾性変形して細幅部８による抜け止め部６の通過を許容し、通過が完了すると、弾性復帰して抜け止め部６が細幅部８に弾発係止する。
【００３４】
いわゆるビーズタイ近似のストッパ２とストッパ受け３を備えたこの実施の形態において、図２（ｃ）に示すように細幅部８は抜け止め部６に係止する係合突起５として機能してストッパ２のストッパ受け３からの脱離を規制し、また、係止状態において球状部７は、図２（ａ）に示すように球状部収容部９の細幅部８側の周壁に係止してストッパ２のストッパ受け３に対するベルト本体１長手方向への位置ずれを規制する。また、細幅部８や球状部７は、その複数が抜け止め部６等に係止することから、ストッパ２とストッパ受け３は全体として強い係止強度を発揮する。したがって以上によりベルト本体１がスーツケースＢ周りに緊結可能な適宜のサイズの閉ループ状に維持される。
【００３５】
さらに、ストッパ２は、球状部７や細幅部８の複数を備えているために、球状部収容部９や細幅部収容部１０に挿入する球状部７や細幅部８を変更することにより、上述した閉ループのサイズ、すなわちスーツケースベルトＡのスーツケースＢ周りの全長を微調整することができ、これによりスーツケースＢ周りにスーツケースベルトＡを楽に緊結させることができる。加えて、ストッパ２のストッパ受け３との連結の際には、手で摘み部１３を摘んで引っ張り、ストッパ２をストッパ受け３の表面側に位置合わせすれば、あとはストッパ２をストッパ受け３に押し込むだけでよいことから、あまり手間がかかることはない。
【００３６】
加えてさらに、上述した連結具４、４同士の連結状態においては、ネームシール１２に折り返し部１１が重なるために、スーツケースＢの使用者のプライバシーが妄りに漏れてしまうことはない。
【００３７】
また、以上のようにスーツケースＢにスーツケースベルトＡを装着すると、運搬時等に誤って衝撃を与えてスーツケースＢがはち切れるように開いてしまいそうな場合にも、スーツケースベルトＡがスーツケースＢを巻回し、また、上述したように球状部７がスーツケースベルトＡの長手方向において球状部収容部９に係止していることから、スーツケースＢが安易に開くことはない。さらに、上述の衝撃はスーツケースＢに裏面が密着するスーツケースベルトＡの表裏方向にはあまり作用せず、加えて、この表裏方向においては細幅部８が抜け止め部６に係止していることから、ストッパ２がストッパ受け３から安易に外れることもない。一方、使用者がスーツケースＢを開いて中の荷物を取り出したいときには、ストッパ２や折り返し部１１を指で摘んでスーツケースＢの表面から離れる方向に引っ張ればよく、これにより細幅部８や抜け止め部６の弾性変形を伴ってストッパ２をストッパ受け３から抜去することができる。
【００３８】
図３に本発明の第２の実施の形態を示す。なお、この実施の形態、および後述する他の実施の形態において、上述した実施の形態と同一の要素は図中に同一の符号を付して説明を省略する。この実施の形態において、ストッパ２は、図３（ｃ）に示すように土台部３０を備え、該土台部３０を介してベース部２８から表面側に向かって突起状に形成される。この土台部３０は、球状部７と同一ピッチでベルト本体１の長手方向に沿って形成される略截頭円錐体の複数からなり、各截頭円錐体の頂部に球状部７が形成される。また、細幅部８は、図３（ａ）ないし（ｃ）に示すように、球状部７の高さ方向中央部からベース部２８の表面まで延設される薄板状をなす。
【００３９】
一方、ストッパ受け３は、オス側連結具４Ｂを柔軟部２４において折り返した際に以上のストッパ２と係止できるように、折り返し部１１に配置される。このストッパ受け３は折り返し部１１の長手方向中間部に配置され、折り返し部１１におけるストッパ受け３の柔軟部２４側にはネームシール１２が貼り付けられる。
【００４０】
また、この実施の形態において抜け止め部６は、図４（ｃ）に示すように、球状部収容部９に配置される。この抜け止め部６は略円環状をなし、その中空部は球状部７の直径よりもやや小さく、かつ、上述した略截頭円錐体の上部における太さよりもやや大きい程度の広さに形成される。
【００４１】
したがってオス側連結具４Ｂを柔軟部２４で折り曲げ、ストッパ受け３をストッパ２に対峙させた状態で折り返し部１１をスーツケースＢ側に押し込むと、球状部７の外周縁部が抜け止め部６の内周縁部に衝接し、ここからさらに押し込むと、球状部７が縮径方向に、抜け止め部６が拡径方向に弾性変形して球状部７が抜け止め部６を通過することができる。このようにして球状部７が抜け止め部６を通過したら、その後、抜け止め部６は縮径方向に、球状部７は拡径方向にそれぞれ弾性復帰し、これにより球状部７が抜け止め部６に弾発係止して係合突起５として機能し、ストッパ２のストッパ受け３からの抜去が規制される。
【００４２】
この状態において球状部７は球状部収容部９の側壁に係止し、すなわちストッパ２がストッパ受け３に係止してベルト本体１が適宜のサイズの閉ループに維持される。また、ストッパ２は、各球状部７が細幅部８によって相互に連結される以外に、土台部３０を介してベース部２８に強固に支持され、さらに、細幅部８を介してもベース部２８に連結されていることから、高い強度を発揮することができ、これによりストッパ受け３との連結強度も向上する。
【００４３】
図５に本発明の第３の実施の形態を示す。この実施の形態において、ストッパ２は、図５に示すように、ベース部２８の幅方向に適宜間隔で立設される柱状突起３１の適数を備える。この柱状突起３１は、略円柱状をなし、その自由端には球形部３５が形成される。
【００４４】
また、ストッパ受け３は、上述した柱状突起３１を収容可能な突起収容部３６の複数からなり、これらが折り返し部１１の幅方向に上述した柱状突起３１と対応する間隔で配置される。突起収容部３６の各々は、図６（ｂ）に示すように、上述した柱状突起３１の外径とほぼ同じ程度の内径を備えた細径部３２と、この細径部３２よりもひとまわり大きい内径を備えた大径部３３とを有して段付きの透孔に形成される。上記大径部３３は、この実施の形態において具体的には球形部３５よりもやや大きい直径に形成される。また、上記細径部３２はオス側連結具４Ｂの表面側に面して配置され、このため反対に大径部３３は裏面側に面する。
【００４５】
したがって、オス側連結具４Ｂを柔軟部２４で折り返して折り返し部１１をスーツケースＢ側に押し込むと、球形部３５や細径部３２の弾性変形を利用して球形部３５が細径部３２内に進入し、そのまま押し進めると球形部３５は細径部３２を通過して大径部３３に到達する。この到達に伴って球形部３５は拡径方向に、細径部３２は縮径方向に弾性復帰し、これにより球形部３５の押し込み方向終端部が細径部３２と大径部３３の段差部に弾発係止する。図６（ａ）および（ｂ）に示すように、この状態で細径部３２は柱状突起３１の柱状の部分を内部に収容し、また、大径部３３は球形部３５、より正確には球形部３５の押し込み方向終端部の一部を内部に収容する。
【００４６】
図７に本発明の第４の実施の形態を示す。この実施の形態において、ストッパ２とストッパ受け３は、図７（ａ）に示すように連結具４の一対に分散配置される。オス側連結具４Ｂとメス側連結具４Ａのそれぞれは略ブロック状をなし、それぞれの先端部にはストッパ２とストッパ受け３が形成される。
【００４７】
また、メス側連結具４Ａの膨隆部２９よりもやや基端側には、ストッパ拘束部３４が形成される。このストッパ拘束部３４は、図７（ｂ）および図８に示すように段付き形状の開口であり、表面に球状部７を挿入可能な程度のサイズに形成された挿入開口３４ａを備えるとともに、この挿入開口３４ａの裏面側の終端に表裏方向に係止可能な係止壁３４ｂを備える。この係止壁３４ｂは、メス側連結具４Ａの基端側に長尺に形成されて挿入開口３４ａの裏面側に配置される収容開口３４ｃの天井壁を兼ねる。
【００４８】
したがってストッパ２をストッパ受け３に係止させた状態において、メス側連結具４Ａの基端側にストッパ受け３を越える位置に球状部７があるときには、図８に示すように挿入開口３４ａを通って収容開口ｃに挿入し、係止壁３４ｂに係止させることにより、ストッパ２をより強固にストッパ受け３に抜け止めすることができる。また、ストッパ２の自由端の不要なぶらつきも防止することができる。
【００４９】
なお、この実施の形態においては、ストッパ２が単にボールチェーン状に形成されるが、ストッパ拘束部３４を設けない場合には、上述の第１の実施の形態におけるように自由端に摘み部１３を形成することも可能である。
【００５０】
図９に本発明の第５の実施の形態を示す。この実施の形態において、スーツケースベルトは、上述した第１の実施の形態等に示すように、リング状のメス側連結具４Ａに舌片状のオス側連結具４Ｂを挿入し、柔軟部２４において折り返してオス側連結具４Ｂのベース部２８と折り返し部１１を連結して閉ループ状にされる。これらベース部２８と折り返し部１１の連結は、これらのそれぞれに配置される面ファスナ１４によりなされる。
【００５１】
また、折り返し部１１に配置される面ファスナ１４は、ベルト本体１の長手方向にある程度の長さを備えて形成される。したがってこの実施の形態においては、面ファスナ同士１４、１４をくっつけたり、剥がしたりすることによりメス側連結具４Ａとオス側連結具４Ｂを連結、連結解除することができる。また、折り返し部１１の面ファスナ１４のベルト本体１長手方向における長さを利用することにより、閉ループのサイズを微調整することができる。
【００５２】
なお、以上においては折り返し部１１の面ファスナ１４の長さを長くしてベース部２８の面ファスナ１４との連結位置を調整できるようにした場合を示したが、反対にベース部２８の面ファスナ１４の長さを長くしたり、あるいはベース部２８と折り返し部１１の双方の長さを長くしても足りる。
【符号の説明】
【００５３】
１    ベルト本体
２    ストッパ
３    ストッパ受け
４    連結具
５    係合突起
６    抜け止め部
７    球状部
８    細幅部
９    球状部収容部
１０    細幅部収容部
１１    折り返し部
１２    ネーム表示部
１３    摘み部
１４    面ファスナ
【図１】
2014155585.tif 000003
【図２】
2014155585.tif 000004
【図３】
2014155585.tif 000005
【図４】
2014155585.tif 000006
【図５】
2014155585.tif 000007
【図６】
2014155585.tif 000008
【図７】
2014155585.tif 000009
【図８】
2014155585.tif 000010
【図９】
2014155585.tif 000011
【図１０】
2014155585.tif 000012